(57)【要約】【課題】  携帯通信インタフェースを具えた画面切り換え器の提供。【解決手段】  切り換え回路、画像処理器、中央処理器、メモリ及び携帯通信インタフェースで構成されている。該切り換え回路は複数台のビデオカメラと接続されて順に画像切り換えを行なうことができ、該画像処理器及び中央処理器はビデオカメラのキャプチャした画像をデジタル画像信号に変換して保存装置に保存し、そのデジタル画像信号は該携帯通信インタフェース及び携帯電話を運用して信号発送可能で、遠方の携帯電話よりこの信号を受け取りスクリーンに表示でき、上述の構造により遠隔制御で住居の安全を維持する機能を達成する。【選択図】        図１
0003106854.tif 000002
【実用新案登録請求の範囲】
【請求項１】
携帯通信インタフェースを具えた画面切り換え器において、切り換え回路、画像処理器、中央処理器、メモリ及び携帯通信インタフェースで構成され、
該切り換え回路は、複数のビデオカメラ、画像処理器及び中央処理器と接続され、画像チャネル切り換えの機能を具え、画像チャネルを順に切り換えるか或いは命令により選択されたチャネルに切り換え、
該画像処理器は、切り換え回路及び中央処理器に接続され、アナログ画像信号をデジタル画像信号に変換し、
該中央処理器は、切り換え回路、画像処理器、メモリ及び携帯通信インタフェースに接続され、デジタル画像信号の変化を比較し、及び、全体回路の整合と制御を行ない、
該メモリは、中央処理器に接続され、デジタル画像信号及び関係情報を保存し、
該携帯通信インタフェースは、中央処理器及び携帯電話に接続され、情報を携帯通信方式で伝送し、
以上の構造が組み合わされて使用される時、切り換え回路により順に画像チャネルが切り換えられるか或いは命令により選択したチャネルに切り換えられ、並びにチャネルに接続されたビデオカメラの撮影した画像信号をキャプチャし、該画像信号は画像処理器のエンコード処理によりデジタル画像信号に変換され、中央処理器が該デジタル画像信号をメモリに保存し、並びに各ビデオカメラの最新のキャプチャ画像信号をメモリに保存された前の画像信号と比較し、前後の画像信号の対比により変化が発見されれば、中央処理器が異常状況の発生があると判断して自動的にその画像信号及び警告情報を携帯通信インタフェースに送り、該携帯通信インタフェースを通して画像信号と警告情報を携帯電話を介して特定の携帯電話に送り表示させ、その使用者が送られた画像信号と警告情報を受け取った後に緊急の応急措置を講じることができ、盗難防止、防災及び遠隔監視制御の機能を達成することを特徴とする、携帯通信インタフェースを具えた画面切り換え器。
【請求項２】
請求項１記載の携帯通信インタフェースを具えた画面切り換え器において、携帯通信インタフェースが携帯電話無線信号送受信機能を具えたモジュールを具えるものとされ、これにより無線信号送受信の機能を具備するものとされたことを特徴とする、携帯通信インタフェースを具えた画面切り換え器。
【考案の詳細な説明】
【技術分野】
【０００１】
本考案は携帯通信インタフェースを具えた画面切り換え器に係り、特に、ビデオカメラがキャプチャした画面を遠方の携帯電話のスクリーンに伝送して表示させることができ、遠隔制御による住居の安全維持の機能を達成する、携帯通信インタフェースを具えた画面切り換え器に関する。
【背景技術】
【０００２】
周知の画面切り換え器の多くはビル或いは会社の保全監視システムに用いられ、ビル或いは会社の空間は比較的多く、各場所のすべてに警備員を配置したり管理人により監視することはできないため、ビデオカメラとモニタによる監視を行なう。画面切り換え器を利用して複数のビデオカメラを共同で一台のモニタに接続して使用され、且つ画面切り換え器は自動的に固定時間間隔で画面切り換えを行なう。しかし警備員或いは管理人がその責任を負うエリアに異常な状況が発生したことを発見して検査に赴く時はモニタ画面を監視することができない。
【０００３】
次に、保全監視システムは人員による同時監視を必要とするため、保全監視システムは一般家庭への取り付けには不適であり、家族がいずれも外出したり出勤或いは旅行する時、泥棒が進入しやすくなったり、突発的状況、例えば電線の出火等が起こっても、事態が厳重となるか家族が帰宅しなければ分からず、泥棒がまだ屋内にいると更に危険を発生する。更に一般の家庭では夫婦共稼ぎで子供だけが家に残されることもあるが、子供のいたずら、例えば火遊びによる火災等の危険が発生したり、家に残された老人が突然身体の不調を起こす時も、適時に発見することができず、残念な事態を引き起こすことがある。
【考案の開示】
【考案が解決しようとする課題】
【０００４】
本考案は上述の周知の保全監視システムの欠点を鑑み、斬新な携帯通信インタフェースを具えた画面切り換え器を提供するものである。
【０００５】
本考案の主要な目的は、一種の画面切り換え器を提供することにあり、それはビデオカメラでキャプチャした画面を遠方の携帯電話のスクリーンに送って表示させ、遠隔制御の機能を達成するものとする。
【課題を解決するための手段】
【０００６】
請求項１の考案は、携帯通信インタフェースを具えた画面切り換え器において、切り換え回路、画像処理器、中央処理器、メモリ及び携帯通信インタフェースで構成され、
該切り換え回路は、複数のビデオカメラ、画像処理器及び中央処理器と接続され、画像チャネル切り換えの機能を具え、画像チャネルを順に切り換えるか或いは命令により選択されたチャネルに切り換え、
該画像処理器は、切り換え回路及び中央処理器に接続され、アナログ画像信号をデジタル画像信号に変換し、
該中央処理器は、切り換え回路、画像処理器、メモリ及び携帯通信インタフェースに接続され、デジタル画像信号の変化を比較し、及び、全体回路の整合と制御を行ない、
該メモリは、中央処理器に接続され、デジタル画像信号及び関係情報を保存し、
該携帯通信インタフェースは、中央処理器及び携帯電話に接続され、情報を携帯通信方式で伝送し、
以上の構造が組み合わされて使用される時、切り換え回路により順に画像チャネルが切り換えられるか或いは命令により選択したチャネルに切り換えられ、並びにチャネルに接続されたビデオカメラの撮影した画像信号をキャプチャし、該画像信号は画像処理器のエンコード処理によりデジタル画像信号に変換され、中央処理器が該デジタル画像信号をメモリに保存し、並びに各ビデオカメラの最新のキャプチャ画像信号をメモリに保存された前の画像信号と比較し、前後の画像信号の対比により変化が発見されれば、中央処理器が異常状況の発生があると判断して自動的にその画像信号及び警告情報を携帯通信インタフェースに送り、該携帯通信インタフェースを通して画像信号と警告情報を携帯電話を介して特定の携帯電話に送り表示させ、その使用者が送られた画像信号と警告情報を受け取った後に緊急の応急措置を講じることができ、盗難防止、防災及び遠隔監視制御の機能を達成することを特徴とする、携帯通信インタフェースを具えた画面切り換え器としている。
請求項２の考案は、請求項１記載の携帯通信インタフェースを具えた画面切り換え器において、携帯通信インタフェースが携帯電話無線信号送受信機能を具えたモジュールを具えるものとされ、これにより無線信号送受信の機能を具備するものとされたことを特徴とする、携帯通信インタフェースを具えた画面切り換え器としている。
【考案の効果】
【０００７】
本考案の携帯通信インタフェースを具えた画面切り換え器は、切り換え回路、画像処理器、中央処理器、メモリ及び携帯通信インタフェースで構成されている。該切り換え回路は複数台のビデオカメラと接続されて順に画像切り換えを行なうことができ、該画像処理器及び中央処理器はビデオカメラのキャプチャした画像をデジタル画像信号に変換して保存装置に保存し、そのデジタル画像信号は該携帯通信インタフェース及び携帯電話を運用して信号発送可能で、遠方の携帯電話よりこの信号を受け取りスクリーンに表示でき、上述の構造により遠隔制御で住居の安全を維持する機能を達成する。
【考案を実施するための最良の形態】
【０００８】
図１、２に示されるように、本考案の携帯通信インタフェースを具えた画面切り換え器は、切り換え回路２、画像処理器３、中央処理器４、メモリ５及び携帯通信インタフェース６で構成されている。本考案の特徴は以下のとおりである。
【０００９】
該携帯通信インタフェースを具えた画面切り換え器１はそのうちの切り換え回路２が複数のビデオカメラ７と画像チャネルで接続され、該切り換え回路２は中央処理器４の内部プログラム或いは命令により、順に画像チャネルを切り換えるか、命令により選択された画像チャネルに切り換え、並びに複数のビデオカメラ７のキャプチャした画像信号を固定された時間間隔により切り換える。該切り換え回路２がそのうちの一台のビデオカメラ７に切り換えられた後、それはビデオカメラ７のキャプチャした画像信号を画像処理器３に送る。ビデオカメラ７がキャプチャした画像信号はアナログ画像信号であり、このアナログ画像信号は画像処理器３の画像エンコード処理によりデジタル画像信号に変換され、更にこのデジタル信号が中央処理器４に送られる。該携帯通信インタフェース６は携帯電話９に接続され、並びに携帯電話９を利用して携帯通信形式のデジタル無線信号を受信並びに発信できる。該中央処理器４はデジタル画像信号をメモリ５に保存し、並びにその内部プログラム或いは各方から伝送された情報により該携帯通信インタフェースを具えた画面切り換え器１の各種の機能を制御する。
【００１０】
上述したように、家族全員が外出する時、携帯通信インタフェースを具えた画面切り換え器１は自動通報モードに設定され、その運転時に中央処理器４がその内部プログラムにより信号を切り換え回路２に自動伝送し、切り換え回路２に自動的に画像切り換えを行なわせ、並びに固定された時間間隔で異なるビデオカメラ７の撮影した画像をキャプチャし、その画像を画像処理器３を利用して処理してデジタル信号となし並びに中央処理器４によりデータエンコード後にメモリ５中に保存する。この中央処理器４は各ビデオカメラ７が撮影した画像信号とメモリ５中に保存された前の一つの画像信号に相違点がないか対比し、もし信号に異なるところがあればビデオカメラ７が撮影した前後の画面に変化が発生したことを表示し、これにより中央処理器４が異常状況の発生があると判断し（例えば泥棒が進入したり或いは火災が発生する）、即ち中央処理器４が警告情報及びこの画像信号を携帯通信インタフェース６に送り、該携帯通信インタフェース６が該警告情報及び画像信号を携帯電話９を利用して携帯通信の伝送モードで信号エンコードし並びに発送する。この信号は基地局と携帯通信システムの交換機による接続の後、基地局より使用者が設定した特定ナンバーの携帯電話８に伝送される。こうして使用者は携帯電話８のスクリーンで警告情報及び発生した異常状況のリアルタイム画像フレームを観る事ができ、使用者はこれにより即刻警察或いは消防署に電話して処理を求めることができ、生命と財産の損失を減らすことができる。
【００１１】
次に、携帯通信インタフェースの画面切り換え器１は画像対比の監視機能のほか、各種の盗難防止安全センサ或いはドアベルに接続されて、各種の盗難防止安全センサ或いはドアベルの伝送した信号を受け取ることができ、異常信号或いは人がドアベルを押したことを検出すると、即刻警告情報とリアルタアイム画像を使用者の携帯電話８に発送してスクリーンに表示し、これにより使用者は即刻警察或いは消防署に電話して処理を求めるか、或いは誰が急用でドアベルを押したかを知って即刻帰宅して処理をすることができる。
【００１２】
更に老人或いは子供が単独で家に残された状況で、携帯通信インタフェースを具えた画面切り換え器１は監視モードに設定され、使用者は遠方にあって家のことを心配する時、特定ナンバーをダイヤルして監視信号を発送することができ、これにより携帯通信インタフェース６が携帯電話９で基地局と携帯電話通信システムの交換機を介して伝送された監視信号を受け取り、並びにこの信号を中央処理器４に送り、該中央処理器４が自動的に複数或いはいずれか一つの特定のビデオカメラ７のキャプチャした画像を携帯通信インタフェース６を介して使用者の携帯電話８に伝送してスクリーンに表示させることができる。こうして家に残された老人の身体状況が良好であるか或いは子供が危険な動作を行なっていないかを観察でき、家の安全を維持する目的を達成できる。
【００１３】
また、上述の携帯通信インタフェース６は携帯電話９機能を具えた無線信号送受信モジュールを具えたものとされ得て、該携帯通信インタフェースを具えた画面切り換え器１がこれにより無線信号送受信の機能を具備するものとされて携帯電話９との接続不要なものとされうる。
【００１４】
総合すると、本考案の携帯通信インタフェースを具えた画面切り換え器は、確実に家の安全を維持し生命と財産の損失を減らす機能を達成し、ゆえに本考案は実用性と進歩性を具えている。
【図面の簡単な説明】
【００１５】
【図１】本考案の使用表示図である。
【図２】本考案の応用回路ブロック図である。
【符号の説明】
【００１６】
１  画面切り換え器          ２  切り換え回路
３  画像処理器              ４  中央処理器
５  メモリ                  ６  携帯通信インタフェース
７  ビデオカメラ            ８、９  携帯電話
【図１】
0003106854.tif 000003
【図２】
0003106854.tif 000004